(57)【要約】      （修正有）【課題】通信されるデータにエリア限定情報を付与することで、利用場所が制限された情報を管理する技術において、データの送信元が何時何処に居てもデータの送付が可能であり、意図しない相手、若しくはデータを送信したくない相手に対してもデータを送信してしまう可能性がある欠点を解消する。【解決手段】コンテンツ情報送信手段と、前記コンテンツ情報の送信を許可する場所を指定する送信場所指定手段と、自装置が存在している場所を検知する場所検知手段と、前記コンテンツ情報の送信が許可された場所か否かを判定する送信可否判定手段を有し、コンテンツ情報を送信する際に、自装置の存在している場所がコンテンツ情報の送信を許可されているか否かを判定し、許可されている場合にのみコンテンツ情報を送信する。【選択図】図１
2013123173.tif 000002
【特許請求の範囲】
【請求項１】
送信場所が制限されたコンテンツ情報を送信する情報送信装置であって、
コンテンツ情報を送信するコンテンツ情報送信手段と、前記コンテンツ情報の送信を許可する場所を指定する送信場所指定手段と、自装置が存在している位置を検知する場所検知手段と、前記送信場所指定手段と連動して前記場所検知手段が検知した位置は前記コンテンツ情報の送信が許可された場所か否かを判定する送信可否判定手段とを有し、
コンテンツ情報を送信する場合に、前記送信可否判定手段によってコンテンツ情報の送信を許可された場所でのみコンテンツ情報を送信することができることを特徴とする送信場所制限機能を有する情報送信装置。
【請求項２】
請求項１に記載の情報送信装置であって、
前記コンテンツ情報を送信した通信相手に対して、前記送信したコンテンツ情報の削除に係る削除条件を該コンテンツ情報と一緒に通知する削除条件通知手段をさらに有することを特徴とする送信場所制限機能を有する情報送信装置。
【請求項３】
送信場所が制限されたコンテンツ情報を受信する情報受信装置であって、
コンテンツ情報を受信するコンテンツ情報受信手段と、前記受信したコンテンツ情報の削除に係る削除条件を受信する削除条件受信手段と、自装置が存在している位置を検知する場所検知手段と、前記削除条件受信手段が受信した削除条件を参照して前記場所検知手段が検知した位置は前記受信したコンテンツ情報を削除すべき場所か否かを判定する削除判定手段とを有し、
コンテンツ情報を受信した場合に、前記削除判定手段によってコンテンツ情報の削除すべき場所であると判定された場合に、該コンテンツ情報を削除することを特徴とする情報受信装置。
【請求項４】
請求項３に記載の情報受信装置であって、
前記削除条件に従って所定のコンテンツ情報を削除した場合に、前記コンテンツ情報を削除した旨を前記コンテンツ情報の送信元へ通知することを特徴とする情報受信装置。
【発明の詳細な説明】
【技術分野】
【０００１】
本発明は、送信場所が制限されたコンテンツ情報を送信または受信する情報通信装置に関する。
【背景技術】
【０００２】
情報を送受信する無線ＬＡＮシステムにおいて、送受信されるデータにエリア限定情報を付与することで、データの利用場所を制限する情報管理技術がある（例えば、特許文献１）。
例えば、入試等で外部に漏らせない重要な試験問題を無線ＬＡＮ等を用いてデータで配布して試験を行う場合、特許文献１に開示されている技術では、情報を受信する端末の受信場所を制限することは出来るし、それに加えて利用可能な時間帯の制限をすることも考えられるが、試験官（資料を配布する側）が何処に居ても資料の配布が可能であるため、試験問題を配布する相手を目視確認しないままでデータの送信が実行され、意図しない相手、若しくは資料を配布したくない相手に対しても試験問題を配布してしまう可能性が発生してしまうという欠点があった。
【０００３】
【特許文献１】特開２００５−１０１８２３
【発明の概要】
【発明が解決しようとする課題】
【０００４】
本発明は、上記従来技術の欠点を解決するために、資料の利用可能場所、時間に加えて、送信場所を制限することのできる情報通信装置を提供することにある。
【課題を解決するための手段】
【０００５】
本発明の情報通信装置は、送信場所が制限されたコンテンツ情報を送信する情報通信装置であり、コンテンツ情報を送信するコンテンツ情報送信手段と、前記コンテンツ情報の送信を許可する場所を指定する送信場所指定手段と、自装置が存在している位置を検知する場所検知手段と、前記送信場所指定手段と連動して前記場所検知手段が検知した位置が前記コンテンツ情報の送信を許可された場所か否かを判定する送信可否判定手段を有し、コンテンツ情報を送信する場合に、前記送信可否判定手段によってコンテンツ情報の送信を許可された場所でのみコンテンツ情報を送信することができることを特徴とする。
【発明の効果】
【０００６】
本発明によれば、送信するコンテンツ情報が機密情報であった場合に、送信場所を制限することで、送信したい相手を、例えば、目視確認した場合にのみ情報を送信することを可能とすることで機密情報管理が確実にできる。
【図面の簡単な説明】
【０００７】
【図１】本発明の情報通信装置を含む機能ブロック図。
【図２】本発明の情報通信装置がコンテンツ情報を送信する場合のフローチャート。
【図３】本発明の情報通信装置がコンテンツ情報を受信する場合のフローチャート。
【発明を実施するための形態】
【０００８】
以下に、本発明の実施の形態について、図面を用いて説明する。
【実施例】
【０００９】
図１は本発明の情報通信装置を含む機能ブロック図である。図１において、１は通信相手端末、２はネットワーク、３は本発明の情報通信装置、４は無線ＬＡＮのアクセスポイント、１０１は無線ＬＡＮ対応部、１０２はタイマ部、１０３は場所検知部、１０４は削除判定／処理部、１０５は自動削除情報送受信部、１０６はコンテンツ情報送受信部、１０７は制御部、１０８は操作部、１０９は情報表示部、１１０は送信可否判定部、１１１はコンテンツ情報記憶部、１１２は送信場所指定部を示す。
【００１０】
図１は本発明の情報通信装置３を含む機能ブロック図である。図１において、通信相手端末１および情報通信装置３は基本的には無線ＬＡＮ機能を内蔵したパーソナルコンピュータである。情報通信装置３の機能ブロックはソフトウェアもしくはハードウェアによって実現される。この実施例では、無線ＬＡＮモジュールとこの目的のために作られた専用ソフトウェアで実現されている。情報通信装置３はコンテンツ情報の主に送信側である。
【００１１】
通信相手端末１はコンテンツ情報の主に受信側である。通信相手端末１の内部構成は、図１に示した情報通信装置３の機能ブロックと同等である。
【００１２】
通信相手端末１が外部から持ち込まれたものである場合は、コンテンツ情報を配信する前に、情報通信装置３から該専用ソフトウェアが配信される。したがって、通信相手端末１および情報通信装置３には、予め図1の情報通信装置３に描かれている機能ブロックを実現するソフトウェアが実装されている状態にある。
【００１３】
通信の管理において専用のソフトウェアを使用するので、通信エリア内にある部外者の通信端末では配布される情報コンテンツを受信することはできない。さらに、該専用ソフトウェアを起動するためのパスワードを、その場専用のものとして、その場で確認した相手にのみ配布すれば、以前に該専用ソフトウェアを受け取って実装してある端末であっても、当該のコンテンツ情報を受信することはできないので、情報管理に万全を期することができる。
【００１４】
無線ＬＡＮ対応部１０１は、無線ＬＡＮを介した通信を行う。自動削除情報送受信部１０５は、コンテンツ情報の自動削除に係る自動削除情報や、自動削除情報に従ってコンテンツ情報を削除した旨の情報の送受信を行う。コンテンツ情報送受信部１０６は、通信相手端末とのコンテンツ情報の送受信を行う。
【００１５】
場所検知部１０３は、例えば、アクセスポイントより得られる位置情報等により、自端末の現在場所を検知し、削除判定／処理部１０４、送信可否判定部１１０に場所情報を提供する。送信可否判定部１１０は、コンテンツ情報を送信する際、場所検知部１０３から受信した自端末の現在場所が、送信場所指定部１１２により指定されている場所か否かを判定する。
【００１６】
タイマ部１０２は、現在時刻を削除判定／処理部１０４に送信する。削除判定／処理部１０４は、通信相手端末１からコンテンツ情報を受信する場合は、受信したコンテンツ情報の自動削除に係る自動削除情報に従い、現在時刻または自端末が現在存在する場所が削除条件と合致するか否かを判定し、削除条件に合致した場合に、制御部１０７にコンテンツ情報削除の判定情報を渡し、制御部１０７はコンテンツ情報の削除を行う。
【００１７】
また、情報通信装置３がコンテンツ情報を配信する場合は、予め作成されているコンテンツ情報の削除条件を、制御部１０７からの指示に応じてコンテンツ情報に付与して通信相手端末１への送信を行う。尚、本実施例における通信相手端末１は、削除条件の付与と受信したコンテンツの削除条件の判定とその判定結果による削除の実行を行うことのできる端末であり、その場合の削除条件とは、コンテンツ情報削除要求時刻の情報と、コンテンツ情報表示可能エリアの情報である。
【００１８】
コンテンツ情報記憶部１１１は、受信したコンテンツ情報を記憶する。情報表示部１０９は、受信したコンテンツ情報や、受信したコンテンツ情報の自動削除に係る削除条件を表示する。また、コンテンツ情報を送信する場合、情報表示部１０９は、送信の実行を許される送信可能場所、送信するコンテンツ情報、送信するコンテンツ情報の自動削除に係る削除条件、及び相手端末から受信するコンテンツ情報の自動削除が完了した旨の情報を表示する。
【００１９】
操作部１０８は、本発明の情報通信装置３への指示を入力するためのキー操作等を行う。制御部１０７は、本発明の情報通信装置３の具体的な動作の制御を行う。
【００２０】
図２は、本発明の情報通信装置３の機能ブロックがコンテンツ情報を送信する場合のフローチャートを示し、図３は、通信相手端末１に搭載された情報通信装置３と同一の機能ブロックがコンテンツ情報を受信する場合のフローチャートを示す。試験問題をコンテンツ情報として配布し、試験を行う場合を例として、本フローチャートの説明を行う。
【００２１】
図２に示したフローチャートおいて、情報通信装置３の電源が投入されることで動作を開始する（Ｓ２０１）。入試等の重要な試験であり、送信するコンテンツ情報にコンテンツ情報の送信場所に係る送信条件が付与されている場合は（Ｓ２０２，ＹＥＳ）、情報通信装置３は現在自端末が存在している場所を確認する（Ｓ２０３）。尚、送信条件についてはコンテンツ情報の作成者がコンテンツ情報作成時に同時に作成し、予め付与するものである。本説明での送信条件は以下の通りとする。
送信条件：第一試験会場
【００２２】
コンテンツ情報にコンテンツ情報の送信場所に係る送信条件が付与されていて、しかも情報通信装置３が送信条件である第一試験会場にいる場合（Ｓ２０４，ＹＥＳ）、もしくは送信条件が付与されていない場合は（Ｓ２０２，ＮＯ）、送信するコンテンツ情報にコンテンツ情報の自動削除に係る自動削除条件を付与するか否かを決定する（Ｓ２０５）。
尚、本説明での自動削除条件は以下の通りとする。
場所：第一試験会場以外の場合に削除する。
時刻：午後０時以前及び午後三時以降の場合に削除する。
【００２３】
コンテンツ情報に削除条件を付与しない場合は（Ｓ２０５，ＮＯ）、コンテンツ情報を送信して（Ｓ２１０）本フローは終了となる。
【００２４】
一方、配布する試験問題の外部流出を防ぐため、コンテンツ情報に削除条件を付与する場合は（Ｓ２０５，ＹＥＳ）、予め作成されている削除条件に従って、操作部１０８（例えばキー操作）にて送信するコンテンツ情報を削除する場所と時刻を設定し（Ｓ２０６）、削除条件を付与したコンテンツ情報を受験者の端末に送信する（Ｓ２０７）。
【００２５】
コンテンツ情報を受信した通信相手端末１より、コンテンツ情報を自動削除した旨の通知を受けるまで待機（Ｓ２０８，ＮＯ）、削除した旨の通知を受けた場合に（Ｓ２０８，ＹＥＳ）、情報表示部１０９にて送信したコンテンツ情報の自動削除完了結果を表示し（Ｓ２０９）、本フローは終了となる。
【００２６】
図３において、受信側の動作を説明する。受信側である通信相手端末１は前述の通り、図１に示す機能ブロックを有する。したがって、図１に示す情報通信装置３の機能ブロック図を通信相手端末１の機能ブロック図として参照するものとする。また、通信相手端末１の電源は既に投入されているものとする。
【００２７】
図３のフローチャートは、情報通信装置３側の電源が投入されることで動作を開始する（Ｓ３０１）。情報通信装置３、例えば試験官の通信端末が送信可能場所に移動してくると、相手通信端末１、例えば受験者の端末は該試験官の通信端末よりコンテンツ情報を受信することが出来（Ｓ３０２）、コンテンツ情報記憶部１１１にて受信したコンテンツ情報を記憶し（Ｓ３０３）、情報表示部１０９にて受信したコンテンツ情報を表示する（Ｓ３０４）。
【００２８】
受信したコンテンツ情報にコンテンツ情報の自動削除に係る削除条件が含まれていない場合は（Ｓ３０５，ＮＯ）、受信したコンテンツ情報をコンテンツ情報記憶部に保存して（Ｓ３２１）本フローは終了となる。
【００２９】
受信したコンテンツ情報が外部に漏らすことのできない試験問題であり、コンテンツ情報の自動削除に係る削除条件が含まれている場合は（Ｓ３０５，ＹＥＳ）、受信したコンテンツ情報に含まれている削除条件を情報表示部１０９にて表示する（Ｓ３０６）。削除条件が含まれているコンテンツ情報を受信すると、コンテンツ情報の自動削除が完了するまで、受験者の端末である通信相手端末１は、現在自端末が存在している場所と、現在時刻を一定の間隔で確認する（Ｓ３０７、Ｓ３０９、Ｓ３１３、Ｓ３１６、Ｓ３１８）。
【００３０】
試験中、削除条件が含まれているコンテンツ情報を受信した端末の所持者が午後三時以前に第一試験会場から出た場合（Ｓ３０８，ＹＥＳ→Ｓ３１３→Ｓ３１４，ＮＯ）、例えば試験会場の付近に設置されている複数のアクセスポイントより得られる位置情報により第一試験会場から出たことを検知して、受信したコンテンツ情報を削除し、閲覧不可能の状態とする（Ｓ３１５）。
【００３１】
その後、該端末の所持者が第一試験会場に戻ってきた場合（Ｓ３１７，ＮＯ）、タイマ部１０２にて現在の時刻を確認し（Ｓ３１８）、午後三時以前であれば（Ｓ３１９，ＮＯ）、試験官の端末すなわち情報通信装置３に対してコンテンツ情報の再配布を要求する（Ｓ３２０）。第一試験会場に戻ってきた場合でも、午後三時以降であった場合は（Ｓ３１９，ＹＥＳ）、コンテンツ情報の送信元にコンテンツ情報を自動削除した旨を通知して（Ｓ３１２）本フローは終了となる。
【００３２】
試験中、一度も第一試験会場から出なかった場合でも（Ｓ３０８，ＮＯ）、午後三時を過ぎてしまった場合や（Ｓ３１０，ＹＥＳ）、第一試験会場から出たあと、午後三時を過ぎてしまった場合は（Ｓ３１４，ＹＥＳもしくは、Ｓ３１７，ＹＥＳ→Ｓ３２３→Ｓ３２４，ＹＥＳ）、受信したコンテンツ情報を削除し（Ｓ３１１）、コンテンツ情報の送信元にコンテンツ情報を自動削除した旨を通知して（Ｓ３１２）本フローは終了となる。
【００３３】
尚、実施例では、情報通信装置３がコンテンツ情報の送信側、通信相手端末１がコンテンツ情報の受信側として説明したが、前述の通り、両端末の機能ブロック構成は同じであり、通信相手端末１がコンテンツ情報送信側となり、情報通信装置３が受信側となることを妨げるものではない。このとき通信相手端末１の居場所によって、コンテンツ情報の送信が許可、不許可となるのは、同じである。
【符号の説明】
【００３４】
１      通信相手端末
２      ネットワーク
３      本発明の情報通信装置
４      無線ＬＡＮアクセスポイント
１０１  無線ＬＡＮ対応部
１０２  タイマ部
１０３  場所検知部
１０４  削除判定／処理部
１０５  自動削除情報送受信部
１０６  コンテンツ情報送受信部
１０７  制御部
１０８  操作部
１０９  情報表示部
１１０  送信可否判定部
１１１  コンテンツ情報記憶部
１１２  送信場所指定部
【図１】
2013123173.tif 000003
【図２】
2013123173.tif 000004
【図３】
2013123173.tif 000005